(57)【要約】  少なくとも1つの利用可能なアイテムに対する関心のレベルを表すための方法および装置は、1つまたは複数のアプリケーションの公開日を判定するステップと、1つまたは複数のアプリケーションの各々に対する関心のレベルを計算するステップとを含む。関心のレベルを計算するステップは、1つまたは複数のアプリケーションの各々の品評についてメディアを検索するステップを含む。この方法および装置はさらに、判定された公開日に基づいて1つまたは複数のアプリケーションに対する関心のレベルを表すように構成されたユーザインターフェースを生成するステップと、そのユーザインターフェースをモバイルデバイスに提供するステップとを含む。さらに、任意選択の態様では、個人設定された関心のレベルが、1つまたは複数の利用可能なアイテムのための、ユーザ情報へのアクセス権に基づいて計算され得る。
2013543614.tif 000002
【特許請求の範囲】
【請求項１】
利用可能なアイテムに対する関心のレベルを表すための方法であって、
1つまたは複数のアプリケーションの公開日を判定するステップと、
前記1つまたは複数のアプリケーションの各々に対する関心のレベルを計算するステップであって、前記1つまたは複数のアプリケーションの各々の品評について、メディアを検索するステップを含む、計算するステップと、
前記判定された公開日に基づいて前記1つまたは複数のアプリケーションの各々に対する前記関心のレベルを示すように構成された、ユーザインターフェースを生成するステップと、
前記ユーザインターフェースをモバイルデバイスに提供するステップと
を含む、方法。
【請求項２】
前記メディアがソーシャルメディアを含み、前記1つまたは複数のアプリケーションの各々の品評について前記メディアを検索するステップが、前記1つまたは複数のアプリケーションの各々が前記メディアにおいて名前を挙げられた回数を求めるステップを含む、請求項1に記載の方法。
【請求項３】
前記関心のレベルを計算するステップがさらに、前記1つまたは複数のアプリケーションの各々の、ダウンロードの数または購入の数のうちの少なくとも1つを求めるステップを含む、請求項1に記載の方法。
【請求項４】
前記モバイルデバイスから個人情報を受け取るステップと、
前記受け取られた個人情報に基づいて、1つまたは複数の利用可能なアイテムに対する個人設定された関心のレベルを計算するステップと
をさらに含む、請求項1に記載の方法。
【請求項５】
前記モバイルデバイスから個人情報を受け取るステップが、ソーシャルネットワークへのログイン認証情報、交流先リスト情報、または位置情報のうちの、少なくとも1つを受け取るステップを含む、請求項4に記載の方法。
【請求項６】
前記モバイルデバイスから個人情報を受け取るステップが、前記モバイルデバイスのユーザのソーシャルネットワークへのログイン認証情報を受け取るステップを含む、請求項4に記載の方法であって、
前記ユーザの前記ソーシャルネットワークに基づいて、前記1つまたは複数の利用可能なアイテムに対する前記関心のレベルを求めるために、前記ユーザの前記ソーシャルネットワークを検索するステップ
をさらに含む、方法。
【請求項７】
前記モバイルデバイスから個人情報を受け取るステップが、1つまたは複数の交流先を特定する交流先リスト情報を受け取るステップを含む、請求項4に記載の方法であって、
前記1つまたは複数の交流先のいずれかによる、前記1つまたは複数の利用可能なアイテムのいずれかの購入を検索するステップと、
前記1つまたは複数の交流先のいずれかによる、前記1つまたは複数の利用可能なアイテムのいずれかに関するコメントを検索するステップと
をさらに含む、方法。
【請求項８】
前記1つまたは複数の利用可能なアイテムに対する前記関心のレベルを計算するステップが、
前記1つまたは複数の利用可能なアイテムの各々の、全体のダウンロード数Aを求めるステップと、
ユーザの1つまたは複数の交流先によって行われた、ダウンロードの数Bを求めるステップと、
A-B+x(B)を計算することによって、前記1つまたは複数の利用可能なアイテムの各々に対する前記関心のレベルを計算するステップであって、xが、前記ユーザの前記1つまたは複数の交流先に基づいて前記関心のレベルに重みを与えるための乗数である、ステップと
を含む、請求項4に記載の方法。
【請求項９】
コンテンツに対する前記関心のレベルに対応するレベルに、前記1つまたは複数の利用可能なアイテムの各々のアイコンを表示するように、前記ユーザインターフェースを構成するステップをさらに含む、請求項4に記載の方法。
【請求項１０】
重複する関心のレベルを有する利用可能なアイテムの最小化されたアイコンを積み重ねたものを表示するように、前記ユーザインターフェースを構成するステップをさらに含む、請求項9に記載の方法。
【請求項１１】
表示の水平方向の縮尺を大きくすることなく、前記表示の垂直方向の縮尺を大きくすることを含む、最小化されたアイコンを前記積み重ねたものを広げるように拡大することを行うように、前記ユーザインターフェースを構成するステップをさらに含む、請求項10に記載の方法。
【請求項１２】
第1の利用可能なアイテムの選択を受け取ると、第1の利用可能なアイテムについての詳細な情報を表示し、
詳細な情報の前記表示を介して、前記第1の利用可能なアイテムをダウンロードするための命令を受け取ると、前記第1の利用可能なアイテムをダウンロードする
ように、前記ユーザインターフェースを構成するステップをさらに含む、請求項9に記載の方法。
【請求項１３】
利用可能なアイテムに対する関心のレベルを表すように構成された少なくとも1つのプロセッサであって、
1つまたは複数のアプリケーションの公開日を判定するための第1のモジュールと、
前記1つまたは複数のアプリケーションの各々に対する関心のレベルを計算するための第2のモジュールであって、前記関心のレベルを計算するステップが、前記1つまたは複数のアプリケーションの各々の品評について、メディアを検索するステップを含む、第2のモジュールと、
前記判定された公開日に基づいて前記1つまたは複数のアプリケーションの各々に対する前記関心のレベルを示すように構成された、ユーザインターフェースを生成するための第3のモジュールと、
前記ユーザインターフェースをモバイルデバイスに提供するための第4のモジュールと
を含む、プロセッサ。
【請求項１４】
利用可能なアイテムに対する関心のレベルを表すための、コンピュータにより実行可能な命令からなるコンピュータプログラムであって、
コンピュータに、1つまたは複数のアプリケーションの公開日を判定させるための少なくとも1つの命令と、
前記コンピュータに、前記1つまたは複数のアプリケーションの各々に対する関心のレベルを計算させるための少なくとも1つの命令であって、前記関心のレベルを計算するステップが、前記1つまたは複数のアプリケーションの各々の品評について、メディアを検索するステップを含む、命令と、
前記判定された公開日に基づいて前記1つまたは複数のアプリケーションの各々に対する前記関心のレベルを示すように構成されたユーザインターフェースを、前記コンピュータに生成させるための少なくとも1つの命令と、
前記コンピュータに、前記ユーザインターフェースをモバイルデバイスへ提供させるための少なくとも1つの命令と
を含む、コンピュータプログラム。
【請求項１５】
利用可能なアイテムに対する関心のレベルを表すための装置であって、
1つまたは複数のアプリケーションの公開日を判定するための手段と、
1つまたは複数のアプリケーションの各々に対する関心のレベルを計算するための手段であって、前記関心のレベルを計算するステップが、前記1つまたは複数のアプリケーションの各々の品評について、メディアを検索するステップを含む、手段と、
前記判定された公開日に基づいて前記1つまたは複数のアプリケーションの各々に対する前記関心のレベルを示すように構成された、ユーザインターフェースを生成するための手段と、
前記ユーザインターフェースをモバイルデバイスに提供するための手段と
を含む、装置。
【請求項１６】
利用可能なアイテムに対する関心のレベルを表すための装置であって、
1つまたは複数のアプリケーションの公開日を判定し、前記1つまたは複数のアプリケーションの各々の関心のレベルを計算し、前記判定された公開日に基づいて、前記1つまたは複数のアプリケーションの各々に対する前記関心のレベルを示すように構成されたユーザインターフェースを生成するように構成された、アプリケーション関心レベル生成コンポーネントであって、前記関心のレベルを計算するステップが、前記1つまたは複数のアプリケーションの各々の品評についてメディアを検索するステップを含む、アプリケーション関心レベル生成コンポーネントと、
前記ユーザインターフェースをモバイルデバイスに提供するように構成された、送信機と
を含む、装置。
【請求項１７】
前記メディアがソーシャルメディアを含み、前記1つまたは複数のアプリケーションの各々の品評について前記メディアを検索するステップが、前記1つまたは複数のアプリケーションの各々が前記メディアにおいて名前を挙げられた回数を求めるステップを含む、請求項16に記載の装置。
【請求項１８】
前記関心のレベルを計算するステップがさらに、前記1つまたは複数のアプリケーションの各々の、ダウンロードの数または購入の数のうちの少なくとも1つを求めるステップを含む、請求項16に記載の装置。
【請求項１９】
前記アプリケーション関心レベル生成コンポーネントがさらに、前記モバイルデバイスから個人情報を受け取り、前記受け取られた個人情報に基づいて、1つまたは複数の利用可能なアイテムに対する個人設定された関心のレベルを計算するように構成される、請求項16に記載の装置。
【請求項２０】
前記個人情報が、ソーシャルネットワークへのログイン認証情報、交流先リスト情報、または位置情報のうちの少なくとも1つを含む、請求項19に記載の装置。
【請求項２１】
前記モバイルデバイスからの前記個人情報が、前記モバイルデバイスのユーザのソーシャルネットワークへのログイン認証情報を含み、前記アプリケーション関心レベル生成コンポーネントがさらに、前記ユーザの前記ソーシャルネットワークに基づいて、前記1つまたは複数の利用可能なアイテムに対する前記関心のレベルを求めるために、前記ユーザの前記ソーシャルネットワークを検索するように構成される、請求項19に記載の装置。
【請求項２２】
前記個人情報が、1つまたは複数の交流先を特定する交流先リスト情報を含み、前記アプリケーション関心レベル生成コンポーネントがさらに、前記1つまたは複数の交流先のいずれかによる、前記1つまたは複数の利用可能なアイテムのいずれかの購入を検索し、前記1つまたは複数の交流先のいずれかによる、前記1つまたは複数の利用可能なアイテムのいずれかについてのコメントを検索するように構成される、請求項19に記載の装置。
【請求項２３】
前記1つまたは複数の利用可能なアイテムに対する前記関心のレベルを計算するステップが、
前記1つまたは複数の利用可能なアイテムの各々の、全体のダウンロード数Aを求めるステップと、
ユーザの前記1つまたは複数の交流先によって行われた、ダウンロードの数Bを求めるステップと、
A-B+x(B)を計算することによって、前記関心のレベルを計算するステップであって、xが、前記ユーザの前記1つまたは複数の交流先に基づいて前記関心のレベルに重みを与えるための乗数である、ステップと
を含む、請求項19に記載の装置。
【請求項２４】
コンテンツに対する前記関心のレベルに対応するレベルに、前記1つまたは複数の利用可能なアイテムの各々のアイコンを表示するように、前記ユーザインターフェースが構成される、請求項19に記載の装置。
【請求項２５】
重複する関心のレベルを有する利用可能なアイテムの最小化されたアイコンを積み重ねたものを表示するように、前記ユーザインターフェースがさらに構成される、請求項24に記載の装置。
【請求項２６】
表示の水平方向の縮尺を大きくすることなく、前記表示の垂直方向の縮尺を大きくすることを含む、最小化されたアイコンを前記積み重ねたものを広げるように拡大することを行うように、前記ユーザインターフェースがさらに構成される、請求項25に記載の装置。
【請求項２７】
前記ユーザインターフェースがさらに、第1の利用可能なアイテムの選択を受け取ると、第1の利用可能なアイテムについての詳細な情報を表示し、前記詳細な情報の表示を介して前記第1の利用可能なアイテムをダウンロードするための命令を受け取ると、前記第1の利用可能なアイテムをダウンロードするように構成される、請求項24に記載の装置。
【請求項２８】
利用可能なアイテムに対する関心のレベルを取得するための方法であって、
公開日に基づいて1つまたは複数のアプリケーションに対する前記関心のレベルを表すように構成される、ユーザインターフェースを受け取るステップであって、前記1つまたは複数のアプリケーションの各々の前記関心のレベルが、前記1つまたは複数のアプリケーションの各々の品評についてのメディアの検索に基づいて計算される、ステップと、
前記受け取られたユーザインターフェースをディスプレイ上に提示するステップと
を含む、方法。
【請求項２９】
前記メディアの検索がソーシャルメディアを含むメディアを特定し、前記1つまたは複数のアプリケーションの各々の品評について前記メディアを検索するステップが、前記1つまたは複数のアプリケーションの各々が前記メディアにおいて名前を挙げられた回数を求めるステップを含む、請求項28に記載の方法。
【請求項３０】
前記関心のレベルがさらに、前記1つまたは複数のアプリケーションの各々の、ダウンロードの数または購入の数のうちの少なくとも1つの決定に基づいて計算される、請求項28に記載の方法。
【請求項３１】
前記ユーザインターフェースがさらに、コンテンツに対する前記関心のレベルを示すように構成される、請求項28に記載の方法であって、
個人情報へのアクセス権を提供するステップ
をさらに含み、前記ユーザインターフェースがさらに、受け取られた個人情報に基づいて、1つまたは複数の利用可能なアイテムに対する個人設定された関心のレベルを示すように構成される、方法。
【請求項３２】
個人情報へのアクセス権を提供するステップが、ソーシャルネットワークへのログイン認証情報、交流先リスト情報、または位置情報のうちの少なくとも1つへのアクセス権を提供するステップを含む、請求項31に記載の方法。
【請求項３３】
個人情報へのアクセス権を提供するステップが、モバイルデバイスのユーザのソーシャルネットワークへのログイン認証情報へのアクセス権を提供するステップを含み、前記関心のレベルを計算するステップが、前記ユーザの前記ソーシャルネットワークに基づいて、前記1つまたは複数の利用可能なアイテムに対する前記関心のレベルを求めるために、前記ユーザの前記ソーシャルネットワークを検索するステップを含む、請求項31に記載の方法。
【請求項３４】
個人情報へのアクセス権を提供するステップが、1つまたは複数の交流先を特定する交流先リスト情報へのアクセス権を提供するステップを含み、前記関心のレベルがさらに、前記1つまたは複数の交流先のいずれかによる前記1つまたは複数の利用可能なアイテムのいずれかの購入を検索することと、前記1つまたは複数の交流先のいずれかによる前記1つまたは複数の利用可能なアイテムのいずれかについてのコメントを検索することとに基づいて計算される、請求項31に記載の方法。
【請求項３５】
前記関心のレベルが、
前記1つまたは複数の利用可能なアイテムの各々の、全体のダウンロード数Aを求めるステップと、
ユーザの1つまたは複数の交流先によって行われた、ダウンロードの数Bを求めるステップと、
A-B+x(B)を計算することによって、前記関心のレベルを計算するステップであって、xが、前記ユーザの前記1つまたは複数の交流先に基づいて前記関心のレベルに重みを与えるための乗数である、ステップと
に基づいて計算される、請求項31に記載の方法。
【請求項３６】
前記コンテンツに対する前記関心のレベルに対応するレベルに、前記1つまたは複数の利用可能なアイテムの各々のアイコンを表示するステップ
をさらに含む、請求項31に記載の方法。
【請求項３７】
重複する関心のレベルを有する利用可能なアイテムの最小化されたアイコンを積み重ねたものを表示するステップ
をさらに含む、請求項36に記載の方法。
【請求項３８】
前記表示の水平方向の縮尺を大きくすることなく、前記表示の垂直方向の縮尺を大きくするステップを含む、最小化されたアイコンを前記積み重ねたものを広げるように拡大するステップをさらに含む、請求項37に記載の方法。
【請求項３９】
第1の利用可能なアイテムの選択を受け取るステップと、
前記第1の利用可能なアイテムについての詳細な情報を表示するステップと、
情報の前記詳細な表示を介して、前記第1の利用可能なアイテムをダウンロードするための命令を受け取るステップと、
前記第1の利用可能なアイテムをダウンロードするステップと
をさらに含む、請求項31に記載の方法。
【請求項４０】
少なくとも1つの利用可能なアイテムに対する関心のレベルを取得するように構成された少なくとも1つのプロセッサであって、
公開日に基づいて1つまたは複数のアプリケーションに対する前記関心のレベルを表すように構成される、ユーザインターフェースを受け取るための第1のモジュールであって、前記1つまたは複数のアプリケーションの各々の前記関心のレベルが、前記1つまたは複数のアプリケーションの各々の品評についてのメディアの検索に基づいて計算される、第1のモジュールと、
前記受け取られたユーザインターフェースをディスプレイに提示するための第2のモジュールと
を含む、プロセッサ。
【請求項４１】
少なくとも1つの利用可能なアイテムに対する関心のレベルを取得するための、コンピュータにより実行な命令からなるコンピュータプログラムであって、
公開日に基づいて1つまたは複数のアプリケーションに対する前記関心のレベルを表すように構成されるユーザインターフェースを、コンピュータに受け取らせるための少なくとも1つの命令であって、前記1つまたは複数のアプリケーションの各々の前記関心のレベルが、前記1つまたは複数のアプリケーションの各々の品評についてのメディアの検索に基づいて計算される、命令と、
前記コンピュータに、前記受け取られたユーザインターフェースをディスプレイへ提示させるための少なくとも1つの命令と
を含む、コンピュータプログラム。
【請求項４２】
少なくとも1つの利用可能なアイテムに対する関心のレベルを取得するための装置であって、
公開日に基づいて1つまたは複数のアプリケーションに対する前記関心のレベルを表すように構成される、ユーザインターフェースを受け取るための手段であって、前記1つまたは複数のアプリケーションの各々の前記関心のレベルが、前記1つまたは複数のアプリケーションの各々の品評についてのメディアの検索に基づいて計算される、手段と、
前記受け取られたユーザインターフェースをディスプレイ上に提示するための手段と
を含む、装置。
【請求項４３】
少なくとも1つの利用可能なアイテムに対する関心のレベルを取得するための装置であって、
公開日に基づいて1つまたは複数のアプリケーションに対する前記関心のレベルを表すように構成されるユーザインターフェースを受け取るように構成される通信コンポーネントであって、前記1つまたは複数のアプリケーションの各々の前記関心のレベルが、前記1つまたは複数のアプリケーションの各々の品評についてのメディアの検索に基づいて計算される、通信コンポーネントと、
前記受け取られたユーザインターフェースを提示するように構成されるディスプレイと
を含む、装置。
【請求項４４】
前記メディアがソーシャルメディアを含み、前記メディアの検索が、前記1つまたは複数のアプリケーションの各々が前記メディアにおいて名前を挙げられた回数を求めるステップを含めて、前記1つまたは複数のアプリケーションの各々の品評について前記メディアを検索するステップを含む、請求項43に記載の装置。
【請求項４５】
前記関心のレベルがさらに、前記1つまたは複数のアプリケーションの各々の、ダウンロードの数または購入の数のうちの少なくとも1つの決定に基づいて計算される、請求項43に記載の装置。
【請求項４６】
前記ユーザインターフェースがさらに、コンテンツに対する前記関心のレベルを示すように構成される、請求項43に記載の装置であって、
個人情報へのアクセス権を提供するように構成されるユーザ情報コンポーネント
をさらに含み、前記ユーザインターフェースがさらに、受け取られた個人情報に基づいて、1つまたは複数の利用可能なアイテムに対する個人設定された関心のレベルを示すように構成される、装置。
【請求項４７】
前記個人情報が、ソーシャルネットワークへのログイン認証情報、交流先リスト情報、または位置情報のうちの少なくとも1つを含む、請求項46に記載の装置。
【請求項４８】
前記個人情報が、モバイルデバイスのユーザのソーシャルネットワークへのログイン認証情報を含み、前記関心のレベルがさらに、前記ユーザの前記ソーシャルネットワークに基づいて、前記1つまたは複数の利用可能なアイテムに対する前記関心のレベルを求めるための、前記ユーザの前記ソーシャルネットワークの検索に基づく、請求項46に記載の装置。
【請求項４９】
前記個人情報が、1つまたは複数の交流先を特定する交流先リスト情報を含み、前記関心のレベルがさらに、前記1つまたは複数の交流先のいずれかによる前記1つまたは複数の利用可能なアイテムのいずれかの購入を検索することと、前記1つまたは複数の交流先のいずれかによる前記1つまたは複数の利用可能なアイテムのいずれかについてのコメントを検索することとに基づく、請求項46に記載の装置。
【請求項５０】
前記関心のレベルが、
前記1つまたは複数の利用可能なアイテムの各々の、全体のダウンロード数Aを求めるステップと、
ユーザの1つまたは複数の交流先によって行われた、ダウンロードの数Bを求めるステップと、
A-B+x(B)を計算することによって、前記関心のレベルを計算するステップであって、xが、前記ユーザの前記1つまたは複数の交流先に基づいて前記関心のレベルに重みを与えるための乗数である、ステップと
に基づいて計算される、請求項46に記載の装置。
【請求項５１】
前記コンテンツに対する前記関心のレベルに対応するレベルに、前記1つまたは複数の利用可能なアイテムの各々のアイコンを表示するように、前記ユーザインターフェースが構成される、請求項46に記載の装置。
【請求項５２】
重複する関心のレベルを有する利用可能なアイテムの最小化されたアイコンを積み重ねたものを表示するように、前記ユーザインターフェースがさらに構成される、請求項51に記載の装置。
【請求項５３】
前記表示の水平方向の縮尺を大きくすることなく、前記表示の垂直方向の縮尺を大きくすることを含む、最小化されたアイコンを前記積み重ねたものを広げるように拡大することを行うように、前記ユーザインターフェースがさらに構成される、請求項52に記載の装置。
【請求項５４】
前記ユーザインターフェースがさらに、
第1の利用可能なアイテムの選択を受け取り、
前記第1の利用可能なアイテムについての詳細な情報を表示し、
情報の前記詳細な表示を介して、前記第1の利用可能なアイテムをダウンロードするための命令を受け取り、
前記第1の利用可能なアイテムをダウンロードする
ように構成される、請求項46に記載の装置。
【発明の詳細な説明】
【技術分野】
【０００１】
米国特許法第119条による優先権の主張
本特許出願は、本出願の譲受人に譲渡され、参照により明確に本明細書に組み込まれる、2010年9月28日に出願された「APPARATUS AND METHOD FOR THE DISPLAY OF A LEVEL OF INTEREST IN AVAILABLE APPLICATIONS」と題する仮出願第61/387,455号の優先権を主張する。
【０００２】
本開示は全般に通信システムに関し、より具体的には、アプリケーションストア内のアプリケーションなど、複数の利用可能なアイテムに対する関心のレベルを表すための、方法、システム、装置、コンピュータプログラム製品、およびプロセッサに関する。
【背景技術】
【０００３】
電話、ビデオ、データ、メッセージング、および放送などの様々な遠隔通信サービスを提供するために、ワイヤレス通信システムが広範囲に配備されている。通信は、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、またはワイヤレスモデムに接続された他の処理デバイスのような、ユーザ装置(UE)と、ネットワークとの間で確立され得る。
【０００４】
アプリケーションストアは、ユーザがアプリケーションを閲覧し、アプリケーションストアからUEにアプリケーションをダウンロードできるようにする、UEのためのサービスである。アプリケーションに応じて、アプリケーションは無料または有料で利用可能であり得る。アプリケーションは、アプリケーションストアにおいて、ユーザインターフェースからUEへ直接ダウンロードされ得る。アプリケーションストアは、UEから直接アクセス可能であり得る。
【発明の概要】
【発明が解決しようとする課題】
【０００５】
これまでは、購入またはダウンロードされたアプリケーションの数に基づいて、様々なアプリケーションの順位が提供されてきた。しかし、この順位は、アプリケーションへの関心について限られた情報しか与えない。
【課題を解決するための手段】
【０００６】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００７】
態様は、少なくとも1つの利用可能なアイテムに対する関心のレベルを表すための、方法を含む。この方法は、1つまたは複数のアプリケーションの公開日を判定するステップと、1つまたは複数のアプリケーションの各々に対する関心のレベルを計算するステップとを含む。この態様では、関心のレベルを計算するステップは、1つまたは複数のアプリケーションの各々の品評についてメディアを検索するステップを含む。この方法はさらに、判定された公開日に基づいて1つまたは複数のアプリケーションに対する関心のレベルを示すように構成されたユーザインターフェースを生成するステップと、そのユーザインターフェースをモバイルデバイスに提供するステップとを含む。
【０００８】
態様はさらに、少なくとも1つの利用可能なアイテムに対する関心のレベルを表すように構成された、少なくとも1つのプロセッサを含み得る。少なくとも1つのプロセッサは、1つまたは複数のアプリケーションの公開日を判定するための第1のモジュールと、1つまたは複数のアプリケーションの各々に対する関心のレベルを計算するための第2のモジュールとを含む。この態様では、関心のレベルを計算するステップは、1つまたは複数のアプリケーションの各々の品評についてメディアを検索するステップを含む。少なくとも1つのプロセッサはさらに、判定された公開日に基づいて1つまたは複数のアプリケーションに対する関心のレベルを示すように構成されたユーザインターフェースを生成するための第3のモジュールと、そのユーザインターフェースをモバイルデバイスに提供するための第4のモジュールとを含む。
【０００９】
態様はさらに、非一時的コンピュータ可読媒体を含む、少なくとも1つの利用可能なアイテムに対する関心のレベルを表すためのコンピュータプログラム製品を、含み得る。このコンピュータ可読媒体は、1つまたは複数のアプリケーションの公開日をコンピュータに判定させるための少なくとも1つの命令と、1つまたは複数のアプリケーションの各々に対する関心のレベルをコンピュータに計算させるための少なくとも1つの命令とを含む。そのような態様では、関心のレベルを計算するステップは、1つまたは複数のアプリケーションの各々の品評についてメディアを検索するステップを含む。コンピュータ可読媒体はさらに、判定された公開日に基づいて1つまたは複数のアプリケーションの各々に対する関心のレベルを示すように構成されたユーザインターフェースを、コンピュータに生成させるための少なくとも1つの命令と、コンピュータに、そのユーザインターフェースをモバイルデバイスへ提供させるための少なくとも1つの命令とを含む。
【００１０】
態様はさらに、1つまたは複数のアプリケーションの公開日を判定するための手段と、1つまたは複数のアプリケーションの各々に対する関心のレベルを計算するための手段とを含む、少なくとも1つの利用可能なアイテムに対する関心のレベルを表すための装置を含み得る。この態様では、関心のレベルを計算するステップは、1つまたは複数のアプリケーションの各々の品評についてメディアを検索するステップを含む。この装置はさらに、判定された公開日に基づいて1つまたは複数のアプリケーションの各々に対する関心のレベルを示すように構成されたユーザインターフェースを生成するための手段と、そのユーザインターフェースをモバイルデバイスに提供するための手段とを含む。
【００１１】
態様はさらに、1つまたは複数のアプリケーションの公開日を判定し、1つまたは複数のアプリケーションの各々に対する関心のレベルを計算するように構成された、アプリケーション関心レベル生成コンポーネントを含む、少なくとも1つの利用可能なアイテムに対する関心のレベルを表すための装置を含み得る。この態様では、関心のレベルを計算するステップは、1つまたは複数のアプリケーションの各々の品評についてメディアを検索するステップと、判定された公開日に基づいて1つまたは複数のアプリケーションの各々に対する関心のレベルを示すように構成されたユーザインターフェース、および、ユーザインターフェースをモバイルデバイスに提供するように構成された送信機を、生成するステップとを含む。
【００１２】
態様はさらに、少なくとも1つの利用可能なアイテムに対する関心のレベルを取得するための、方法を含み得る。この方法は、公開日に基づいて1つまたは複数のアプリケーションに対する関心のレベルを表すように構成された、ユーザインターフェースを受け取るステップを含む。そのような態様では、1つまたは複数のアプリケーションの各々に対する関心のレベルは、1つまたは複数のアプリケーションの各々の品評についてのメディアの検索と、受け取られたユーザインターフェースをディスプレイに提示することとに基づいて計算される。
【００１３】
態様はさらに、少なくとも1つの利用可能なアイテムに対する関心のレベルを取得するように構成された、少なくとも1つのプロセッサを含み得る。少なくとも1つのプロセッサは、公開日に基づいて1つまたは複数のアプリケーションに対する関心のレベルを表すように構成されたユーザインターフェースを受け取るための、第1のモジュールを含む。そのような態様では、1つまたは複数のアプリケーションの各々に対する関心のレベルは、1つまたは複数のアプリケーションの各々の品評についてのメディアの検索と、受け取られたユーザインターフェースをディスプレイに提示するための第2のモジュールとに基づいて計算される。
【００１４】
態様はさらに、非一時的コンピュータ可読媒体を含む、少なくとも1つの利用可能なアイテムに対する関心のレベルを取得するためのコンピュータプログラム製品を、含み得る。コンピュータ可読媒体は、公開日に基づいて1つまたは複数のアプリケーションに対する関心のレベルを表すように構成されたユーザインターフェースをコンピュータに受け取らせるための、少なくとも1つの命令を含む。そのような態様では、1つまたは複数のアプリケーションの各々に対する関心のレベルは、1つまたは複数のアプリケーションの各々の品評についてのメディアの検索と、コンピュータに、受け取られたユーザインターフェースをディスプレイへ提示させるための少なくとも1つの命令とに基づいて計算される。
【００１５】
態様はさらに、公開日に基づいて1つまたは複数のアプリケーションに対する関心のレベルを表すように構成されるユーザインターフェースを受け取るための手段を含む、少なくとも1つの利用可能なアイテムに対する関心のレベルを取得するための装置を含み得る。この態様では、1つまたは複数のアプリケーションの各々に対する関心のレベルは、1つまたは複数のアプリケーションの各々の品評についてのメディアの検索と、受け取られたユーザインターフェースをディスプレイに提示するための手段とに基づいて計算される。
【００１６】
態様はさらに、公開日に基づいて1つまたは複数のアプリケーションに対する関心のレベルを表すように構成されるユーザインターフェースを受け取るように構成される通信コンポーネントを含む、少なくとも1つの利用可能なアイテムに対する関心のレベルを取得するための装置を含み得る。そのような態様では、1つまたは複数のアプリケーションの各々に対する関心のレベルは、1つまたは複数のアプリケーションの各々の品評についてのメディアの検索と、受け取られたユーザインターフェースを提示するように構成されるディスプレイとに基づいて計算される。
【００１７】
上記の目的および関連する目的の達成のために、1つまたは複数の態様は、以下で詳細に説明され特許請求の範囲で具体的に指摘される特徴を含む。以下の説明および添付の図面は、1つまたは複数の態様のいくつかの例示的な特徴を詳細に説明する。しかしながら、これらの特徴は、様々な態様の原理が使用され得る様々な方法のうちのほんのいくつかしか示しておらず、この説明は、そのようなすべての態様およびそれらの等価物を含むものとする。
【００１８】
開示される態様を限定するためではなく、開示される態様を例示するために与えられる、添付の図面とともに、開示される態様が以下で説明され、同様の表示は同様の要素を示す。
【図面の簡単な説明】
【００１９】
【図１】一態様による、1つまたは複数の利用可能なアイテムに対する関心のレベルを見るための、例示的なユーザインターフェースの図である。
【図２】一態様による、1つまたは複数の利用可能なアイテムに対する関心のレベルを見るための、例示的なユーザインターフェースの図である。
【図３Ａ】一態様による、1つまたは複数の利用可能なアイテムに対する関心のレベルを見るための、例示的なユーザインターフェースの図である。
【図３Ｂ】一態様による、1つまたは複数の利用可能なアイテムに対する関心のレベルを見るための、例示的なユーザインターフェースの図である。
【図３Ｃ】一態様による、1つまたは複数の利用可能なアイテムに対する関心のレベルを見るための、例示的なユーザインターフェースの図である。
【図４】一態様による、1つまたは複数の利用可能なアイテムに対する関心のレベルを見るための、例示的なユーザインターフェースの図である。
【図５】一態様による、少なくとも1つの利用可能なアイテムに対する関心のレベルを表す方法のフローチャートである。
【図６】一態様による、1つまたは複数の利用可能なアイテムに対するユーザの関心のレベルを取得する方法のフローチャートである。
【図７】一態様による、例示的なコンピュータデバイスの図である。
【図８】一態様による、例示的なコンピュータデバイスの図である。
【図９】一態様による、例示的な装置の機能を示す概念的なブロック図である。
【図１０】一態様による、例示的な装置の機能を示す概念的なブロック図である。
【発明を実施するための形態】
【００２０】
次に、図面を参照して様々な態様が説明される。以下の記述では、説明の目的で、1つまたは複数の態様の完全な理解を与えるために多数の具体的な詳細が記載される。ただし、そのような態様をこれらの具体的な詳細なしに実施できることは明白であり得る。
【００２１】
態様は、少なくとも1つの利用可能なアイテムの関心および/または人気のレベルの、判定、表現、および提示または表示を可能にする。本開示で用いられる場合、「利用可能なアイテム」は、コンテンツアイテム、コンテンツ、サービスアイテム、サービス、または、コンテンツアイテム、コンテンツ、サービスアイテム、もしくはサービスのうちの少なくとも1つの電子的な表現物のうちの1つまたは複数を含み得る。本開示で用いられる場合、「コンテンツ」または「コンテンツアイテム」という用語は、任意のタイプのアプリケーション、マルチメディアファイル、画像ファイル、実行ファイル、プログラム、ウェブページ、スクリプト、ドキュメント、プレゼンテーション、メッセージ、ウェブサイト、音楽、動画、データ、メタデータ、または、デバイスにおいてレンダリングされ、処理され、もしくは実行され得る任意の他のタイプの媒体もしくは情報、または、前述のいずれかの電子識別のうちの1つまたは複数を、少なくとも含む。また、本開示で用いられる場合、「サービスアイテム」または「サービス」という用語は、電子的な形態または非電子的な形態で、動作もしくは便宜を受けまたは与えること、またはそうした行為の権利を得ることを、少なくとも含む。たとえば、一態様では、サービスは、ネットワークサーバへのアクセス権、建物、制限された領域などのような物理的な場所への入場権のような、権利を与えることを含み得る。たとえば、限定するものと解釈されるべきではない一態様では、ネットワークサーバへのアクセス権を提供する使用事例は、ユーザがゲームのプレーヤである状況を含んでよく、ネットワークサーバが提供する、ゲーム向けのネットワークベースのマルチプレーヤサービスにユーザが参加できるようにするために、ネットワークサーバへのアクセス権が与えられる。さらに、たとえば、限定するものと解釈されるべきではないある態様では、物理的な場所へのアクセス権を提供する使用事例は、ジムへの入場権および/または会員権を与えることを含み得る。限定するものと解釈されるべきではないある例では、本明細書で説明される態様の一部における1つまたは複数の利用可能なアイテムは、少なくとも1つのアプリケーションを含み得る。限定するものと解釈されるべきではない、関心のレベルの個人設定された表現のような、別の態様では、1つまたは複数の利用可能なアイテムは、コンテンツアイテムならびに/またはサービスアイテムの、任意の数および/もしくは任意の組合せを含み得る。
【００２２】
ある態様では、たとえば、アプリケーションストア環境の中で、提示または表示が与えられ得る。たとえば、ある態様では、アプリケーションストア環境が、コンピュータデバイス上に提示され得る。さらに、他の態様では、アプリケーションストア環境は、モバイルデバイス上に提示されるモバイルストアアプリケーション環境であってよい。1つまたは複数の態様では、ダウンロードまたは選択の数によって順位付けされる利用可能なアイテムの統計的なリストを作成するのではなく、利用可能なアイテムに対する関心のレベルを計算するために、異なる利用可能なアイテムの品評についてメディアを検索することによって、利用可能なアイテムの関心のレベルを求めることができる。この計算は、利用可能なアイテムのダウンロードおよび選択に関する情報と組み合わせて、行われてよい。この計算はまた、特定のユーザに対して個人設定され得る。
【００２３】
たとえば、一態様では、少なくとも1つのアプリケーションの各々の関心のレベルを計算するために、少なくとも1つのアプリケーションについてメディアを検索することができる。一態様では、この計算は、モバイルデバイスまたはユーザ装置(UE)と関連付けられるネットワークデバイスにおいて起こり得る。そして、ネットワークデバイスは、少なくとも1つのアプリケーションに対する関心のレベルを表し、モバイルデバイスまたはUEに対するユーザインターフェースを提供するように構成される、ユーザインターフェースを生成することができる。モバイルデバイスまたはUEはさらに、1つまたは複数の利用可能なアイテムの関心もしくは人気のレベルの計算をネットワークが個人設定できるようにする個人情報に対する、アクセス権を与えることができる。
【００２４】
モバイルデバイスまたはUEにおける、たとえばディスプレイ上へのユーザインターフェースの提示は、ユーザが、利用可能なアイテムの数とともに、特定の時間フレームに対する様々な利用可能なアイテムの適合性を、全体的に把握するのを可能にするように、構成される。たとえば、ユーザインターフェースは、公開日が同じである複数の利用可能なアイテムの、積み重ねられまたは折りたたまれた、識別子もしくはアイコンを表示することができる。ある態様では、ユーザは、時間的に前後に移動することによって、表示をナビゲートすることができる。別の態様では、ユーザは、積み重ねられまたは折りたたまれた利用可能なアイテムを見るように拡大するために、マルチタッチ式の操作を使うこともできる。たとえば、拡大することは、積み重ねられまたは折りたたまれた利用可能なアイテムを広げるために、表示の水平方向の縮尺を維持しつつ、表示の垂直方向の縮尺を拡大することを含んでよい。たとえば、ある態様では、この特徴的機能は、積み重ねられた利用可能なアイテムを、積み重ねられない状態にして、比較的大きなサイズまたはフルサイズで表示するのを可能にする。
【００２５】
本出願で使用される場合、「コンポーネント」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、コンポーネントは、プロセッサ上で実行されるプロセス、プロセッサ、オブジェクト、実行ファイル、実行スレッド、プログラム、および/またはコンピュータであり得るが、これらに限定されない。例として、コンピューティングデバイス上で実行されるアプリケーションと、そのコンピューティングデバイスの両方が、コンポーネントであり得る。1つまたは複数のコンポーネントは、プロセスおよび/または実行スレッド内に常駐することができ、1つのコンポーネントは、1つのコンピュータ上に配置されてよく、かつ/または2つ以上のコンピュータ間に分散されてよい。さらに、これらのコンポーネントは、様々なデータ構造を記憶している様々なコンピュータ可読媒体から実行することができる。これらのコンポーネントは、信号によって、ローカルシステム、分散システム内の別のコンポーネントと相互作用し、かつ/またはインターネットなどのネットワークにわたって他のシステムと相互作用する、1つのコンポーネントからのデータのような、1つまたは複数のデータパケットを有する信号に従うことなどによって、ローカルプロセスおよび/またはリモートプロセスによって通信し得る。
【００２６】
さらに、本明細書では、有線端末またはワイヤレス端末であり得る端末に関連して、様々な態様が説明される。端末は、システム、デバイス、加入者ユニット、加入者局、移動局、モバイル、モバイルデバイス、遠隔局、遠隔端末、アクセス端末、ユーザ端末、端末、通信デバイス、ユーザエージェント、ユーザデバイス、またはユーザ機器(UE)と呼ばれることもある。ワイヤレス端末は、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、またはワイヤレスモデムに接続された他の処理デバイスであり得る。さらに、様々な態様が、基地局に関連して、本明細書で説明される。基地局は、ワイヤレス端末と通信するために使用されてもよく、アクセスポイント、ノードB、またはある他の用語で呼ばれることもあり得る。
【００２７】
さらに、「または」という用語は、排他的な「または」ではなく、包括的な「または」を意味するものとする。すなわち、別段の規定がない限り、または文脈から明白でない限り、「XはAまたはBを使用する」という語句は、自然な包括的置換のいずれかを意味するものとする。すなわち、「XはAまたはBを使用する」という語句は、XはAを使用する、XはBを使用する、またはXはAとBの両方を使用するという例のいずれによっても満たされる。さらに、本出願および添付の特許請求の範囲で使用する冠詞「a」および「an」は、別段の規定がない限り、または単数形を示すことが文脈から明白でない限り、一般の「1つまたは複数」を意味するものと解釈すべきである。
【００２８】
本開示においては、「例」という単語は、例、事例、または例示として役割を果たすことを意味するように本明細書で使用される。「例」として本明細書で説明するいかなる態様または設計も、必ずしも他の態様または設計よりも好ましいまたは有利なものと解釈すべきではない。むしろ、例という単語の使用は、概念を具体的な形で提示するものである。
【００２９】
本明細書で説明する技法は、CDMA、TDMA、FDMA、OFDMA、SC-FDMAおよび他のシステムなど、様々なワイヤレス通信システムに使用され得る。「システム」および「ネットワーク」という用語は、しばしば互換的に使用される。CDMAシステムは、Universal Terrestrial Radio Access (UTRA)、cdma2000などの無線技術を実装することができる。UTRAは、Wideband-CDMA(W-CDMA)およびCDMAの他の変形形態を含む。さらに、cdma2000は、IS-2000規格、IS-95規格、およびIS-856規格を対象とする。TDMAシステムは、Global System for Mobile Communications(GSM(登録商標))などの無線技術を実装することができる。OFDMAシステムは、Evolved UTRA(E-UTRA)、Ultra Mobile Broadband(UMB)、IEEE802.11(WiFi)、IEEE802.16(WiMAX)、IEEE802.20、Flash-OFDMなどの無線技術を実装することができる。UTRAおよびE-UTRAは、Universal Mobile Telecommunication System(UMTS)の一部である。3GPP Long Term Evolution(LTE)は、ダウンリンク上ではOFDMAを採用し、アップリンク上ではSC-FDMAを採用するE-UTRAを使用するUMTSのリリースである。UTRA、E-UTRA、UMTS、LTEおよびGSM(登録商標)は、「3rd Generation Partnership Project」(3GPP)と称する組織からの文書に記載されている。さらに、cdma2000およびUMBは、「3rd Generation Partnership Project 2」(3GPP2)と称する組織からの文書に記載されている。さらに、そのようなワイヤレス通信システムは、不対無認可スペクトル、802.xxワイヤレスLAN、Bluetooth(登録商標)および任意の他の短距離または長距離ワイヤレス通信技法をしばしば使用するピアツーピア(たとえば、モバイルツーモバイル)アドホックネットワークシステムをさらに含み得る。
【００３０】
いくつかのデバイス、コンポーネント、モジュールなどを含み得るシステムに関して、様々な態様または特徴が提示される。様々なシステムが、追加のデバイス、コンポーネント、モジュールなどを含んでもよく、かつ/または各図に関連して論じられるデバイス、コンポーネント、モジュールなどのすべてを含むとは限らないことを、理解および諒解されたい。これらの手法の組合せも使用され得る。
【００３１】
図1は、モバイルデバイスのようなコンピュータデバイス上に表示される、ユーザインターフェース102のある例の、ある例示的なスクリーンショットの態様を示す。図1に示されるユーザインターフェース102は、モバイルデバイスによって取得され得るコンテンツアイテムまたはサービスアイテムのような、現在最も関心を集めている1つまたは複数の利用可能なアイテムを簡単に見つける方法を、ユーザに提供する。一態様によれば、関心は、そのような利用可能なアイテムの購入以外のことに基づいてもよい。たとえば、関心は、利用可能なアイテムの各々の閲覧/アクセス/ダウンロード/購入の量に加えて、ニュースでの取り上げ、ソーシャルメディアでの推奨、各々の利用可能なアイテムが、ブログ、ウェブサイト、検索エンジンにおける検索、およびソーシャルメディアサイトなどのような電子メディアにおいて識別される相対的な回数によって、計測され得る。電子的な検索を実行して、各々の利用可能なアイテムがそのようなメディアにおいて言及される回数を測定することができる。検索結果は、検索結果のソースに従って重み付けされてもよい。たとえば、主要なニュースウェブサイトにおいて、利用可能なアイテム、たとえばあるアプリケーションに言及するニュース記事は、そのアプリケーションについてのソーシャルメディアサイトでのコメントよりも重みを与えられてよい。そして、利用可能なアイテムはそれに従って順位付けされ得る。さらに、様々な利用可能なアイテムに対する関心の順位は、ソーシャルメディアアカウントへのログイン認証情報、交流先リスト情報、位置情報などのような、ユーザ情報へのアクセス権を与えることによって、各ユーザに対して個人設定され得る。そのようなアクセス権は、ユーザのモバイルデバイスを介して与えられ得る。
【００３２】
図1は、一態様において、公開日のような時間軸106に対する関心のレベル104(たとえば、人気がある、低評価である、激しいなど)を示す、2Dの格子状のユーザインターフェース102上で順位が表示され得ることを示す。図1では、比較的関心のレベルが高いと考えられる利用可能なアイテムは、ユーザインターフェース102上でより上方に現れる。一態様では、ユーザインターフェース102の底部には時間軸106があるので、様々な利用可能なアイテムを異なる日付に従って順位付けすることができる。この時間軸はたとえば、公開日を表し得る。したがって、この表示は、どの利用可能なアイテムが流行しているかを、アイテムの公開日によって、ユーザが視覚的に判断できるようにし得る。この時間軸はまた、日付に基づく1つまたは複数の利用可能なアイテムに対する、人気または関心も示し得る。したがって、ユーザは、1つまたは複数の利用可能なアイテムのいずれが、品評および購入のような関心を最も多く集めたかを、毎日判断することができる。
【００３３】
一態様では、1つまたは複数の利用可能なアイテムは、アイコン110、110'によって表され、アプリケーション名、作成元、価格などのような、補助的なアイテム情報112をさらに含み得る。たとえば、利用可能なアイテムが販売中のアプリケーションである場合、アプリケーションは、アプリケーション名、作成元、価格などのような識別情報とともに、アプリケーションアイコンによって表され得る。
【００３４】
図3A〜図3Cを参照すると、ある態様では、ユーザインターフェース102は、たとえば、ある単一の日または公開日のような単一の期間において同等の関心のレベルを有する複数の利用可能なアイテムを識別できるように、拡大機構を含む。たとえば、ある特定の日において、同等の関心のレベルを共有する複数の利用可能なアイテムがあり、それらを呈示するのに十分な画面スペースがない場合、利用可能なアイテムのアイコン110は、最小化されたアイコン110'として表示され得る。そして、前に最小化されたアイコンが拡大されるように、表示の垂直方向の縮尺を大きくするために、拡大機構を使うことができる。たとえば、拡大機構は、タッチ感知式ディスプレイに与えられるジェスチャー、たとえば、表示を拡大するために、スクリーンを2本の指でタッチし、2本の指を反対方向に動かすというようなジェスチャーを使う、ピンチタイプの機構であってよい。他の拡大機構も使うことができる。
【００３５】
図3A〜図3Cは、一態様による、複数のコンテンツのアイテムの完全なアイコンおよび情報を示すように拡大された、最小化されたアイコンを有するユーザインターフェースにおける表示画面の一部を示す。図3Aにおいては、x、y、およびzのアイコンが最小化されている。この状態は、本明細書では「積み重ねられた」または「折りたたまれた」とも呼ばれることがある。図3Bでは、x、y、およびzのアイコンが、ユーザ入力に基づいてわずかに拡大されている。図3Cでは、x、y、およびzのアイコンが、完全なアイコン、アプリケーション名、および価格を示すように完全に拡大されている。図3A〜図3Cに示されるように、一態様では、拡大機構は、水平方向の縮尺を変えることなく、表示の垂直方向の縮尺のみを変えることができる。このことによって、所与の公開日を表す段のような同様の領域の中で、積み重ねられまたは折りたたまれることになる、重複するアイテムの情報を特定できるようになる。そして、ユーザが関心を持てば、表示の垂直方向の縮尺を大きくするための拡大機構を適用することによって、ユーザは、アイテムの各々のアイコンを、積み重ねられない状態にすることができる。
【００３６】
さらに、いくつかの態様では、異なる日付を見るために、かつ、関心のレベルがより高いコンテンツおよび低いコンテンツを見るために、表示を任意の方向にパンすることができる。たとえば、図2は、ユーザが過去の日付を閲覧する時の、図1と同様の画面を示す。この表示はまた、拡大機構を介するなどして、ユーザによって望み通りに拡大および縮小され得る。
【００３７】
ユーザが、ある特定の利用可能なアイテムに関するより多くの情報を所望すると、ユーザは、アプリケーションの詳細な説明を見るために、スクリーンをタップすることなどによって、アイコンを選択することができる。
【００３８】
たとえば、図4は、ある特定の利用可能なアイテムのための、ユーザインターフェース102を介した例示的な表示を示す。たとえば、一態様では、利用可能なアイテムのアイコン110が、利用可能なアイテム名、価格、および利用可能なアイテムの入手元のような補助的な情報112とともに、示され得る。平均のユーザ評価116が、利用可能なアイテムについて受け取られたレビューの数を特定するものとともに、示され得る。利用可能なアイテムの詳細な説明118が、提供され得る。利用可能なアイテムのサンプル画像または動画クリップ120が、提供され得る。さらに、各々の利用可能なアイテムの詳細な説明118は、各ユーザに対して個人設定され得る。たとえば、詳細な説明118は、利用可能なアイテムを所有する、またはダウンロードした、ユーザの友人または交流先122を、ユーザに知らせることができる。ユーザの友人および交流先122は、ユーザのソーシャルネットワーク情報を介して、または、UEのようなユーザのデバイス上の交流先情報を介して特定することができ、これらの情報は、ネットワークデバイスにおける、または代替的にはデバイス上にローカルに存在する、関心のレベルを計算する利用可能アイテム関心レベル生成コンポーネントが、利用できるようにされ得る。
【００３９】
図5は、1つまたは複数の利用可能なアイテムに対する関心のレベルを表すための、方法500の例示的な態様を示すフローチャートを示す。たとえば、ある態様では、方法500は、ネットワークデバイスにおいて動作可能であり得る。この方法は、1つまたは複数のアプリケーションの公開日を判定するステップ502を含む。アプリケーションストアは、公開日情報へのアクセス権を有する。この情報は、1つまたは複数のアプリケーションについてのメタデータとして記憶されていることが多い。たとえば、アプリケーションが更新されると、そのアプリケーションの公開日は、アプリケーションの最新バージョンを反映する。さらに、ある態様では、アプリケーションの最新バージョンに関連する、ニュース記事、ブログのエントリー、および他のソーシャルメディアでの論評は、アプリケーションの前のバージョンに対するものよりも、重みを与えられてよい。たとえば、アプリケーションが最初の公開以来数回の更新を行っている場合、最新の更新についての順位情報は1を乗算されてよく、一方前のバージョンに対する同様の情報は、0.75のようなより低い重みによって乗算されてよい。より前のバージョンについての情報は、0.5のような、対応するより低い重みによって、重みを与えられてよい。さらに前のバージョンは、さらに低い重みによって重みを与えられてよく、または、0.25のような最小の重みによって重みを与えられてよく、またさらに、バージョン間に長い期間が存在する場合、もしくはあるバージョンが別のバージョンとは大きく異なると考えられる場合には、0によって重みを与えられてよい。重み付けされるこの順位情報は、アプリケーションについて発見されたソーシャルメディアでの論評を含み得る。
【００４０】
この方法はさらに、1つまたは複数のアプリケーションの各々に対する関心のレベルを計算するステップを含み、関心のレベルを計算するステップは、1つまたは複数のアプリケーションの各々の品評について、メディアを検索するステップ504を含む。
【００４１】
この方法はさらに、判定された公開日に基づいて1つまたは複数のアプリケーションに対する関心のレベルを表すように構成された、ユーザインターフェースを生成するステップ506を含む。
【００４２】
この方法はさらに、モバイルデバイスにユーザインターフェースを提供するステップ508を含む。
【００４３】
この方法は、任意選択で、モバイルデバイスから個人情報を追加で受け取るステップ510と、受け取られた個人情報に基づいて、1つまたは複数の利用可能なアイテムに対する個人設定された関心のレベル、たとえば、1つまたは複数のアプリケーション(たとえば、502、504、および506のうちの1つまたは複数のアプリケーション)に対する個人設定された関心のレベル、さらには、任意のコンテンツアイテムまたは任意のサービスアイテムの1つまたは複数のような、他のタイプの利用可能なアイテムに対する個人設定された関心のレベルを、計算するステップ512を含み得る。
【００４４】
メディアは、ニュース記事/論評のようなより従来型のメディアに加えて、ソーシャルメディア、ブログを含み得る。複数のアプリケーションの各々の品評についてメディアを検索することは、1つまたは複数のアプリケーションの各々が様々なメディアにおいて名前を挙げられた回数を求めるための、電子的な検索を含み得る。この情報は、1つまたは複数のアプリケーションの各々に対する関心のレベルを計算するために、ダウンロードおよび/または購入の数と組み合わされ得る。
【００４５】
態様はさらに、以下で論じられるように、モバイルデバイスから個人情報を受け取るステップと、受け取られた個人情報に基づいて、1つまたは複数の利用可能なアイテムに対する個人設定された関心のレベルを計算するステップとを含み得る。上で述べられたように、個人設定された関心のレベルは、1つまたは複数のアプリケーションとともに他のタイプの利用可能なアイテムを含む、任意の利用可能なアイテムに対するものであってよい。
【００４６】
モバイルデバイスからの個人情報は、ソーシャルネットワークへのログイン認証情報、交流先リスト情報、または位置情報のうちの、少なくとも1つを受け取ることを含み得る。モバイルデバイスのユーザのソーシャルネットワークへのログイン認証情報が受け取られる場合、態様はさらに、ユーザのソーシャルネットワークを検索して、ユーザのソーシャルネットワークに基づいて、たとえばユーザのソーシャルな交流先の中から、1つまたは複数の利用可能なアイテムに対する関心のレベルを求めるステップを含み得る。複数の交流先を特定する交流先リスト情報が受け取られる場合、態様はさらに、複数の交流先のいずれかによる、1つまたは複数の利用可能なアイテムのいずれかの購入を検索するステップと、複数の交流先のいずれかによる、1つまたは複数の利用可能なアイテムのいずれかに関するコメントを検索するステップとを含み得る。
【００４７】
たとえば、計算は、ユーザの友人および交流先に特有の、複数のアプリケーションの各々についての品評の量を求めるための、デバイスのユーザのソーシャルメディアアカウントのデータマイニングを含み得る。交流先リスト情報を使って、ユーザの交流先リストに含まれる人物によって行われたダウンロード/コメントの数に重みを与えることができる。
【００４８】
たとえば、1つまたは複数の利用可能なアイテムに対する関心のレベルを計算するステップは、1つまたは複数の利用可能なアイテムの各々の全体のダウンロード数Aを求めるステップと、ユーザの交流先によって行われたダウンロードの数Bを求めるステップと、A-B+x(B)を計算することによって関心のレベルを計算するステップとを含んでよく、ここでxは、ユーザの交流先の関心のレベルに重みを与えるための乗数である。このことにより、ユーザのある交流先による単一のダウンロードまたはコメントによって、他の大量の人物によりダウンロードされた利用可能なアイテムに匹敵するほど、計算された関心のレベルを上げることが可能になり得る。この計算はさらに、ユーザの友人と、利用可能なアイテムをダウンロードした人物全体との両方による、その利用可能なアイテムに与えられた平均の評価を考慮することができる。この情報は、式A-B+x(B)における乗算係数を与えるために、ダウンロード情報と組み合わせて使われ得る。たとえば、評価システムが、利用可能なアイテムを1〜5の基準で順位付けし、ユーザの友人の利用可能なアイテムの平均の評価がCであり、利用可能なアイテムの全体の平均の評価がDである場合、順位を、(A/D)-(B/C)+x(B/C)として計算することもできる。この式において、xは、使われている順位付けシステムに基づく、重み付けのための乗数を表す。
【００４９】
この方法はさらに、利用可能なアイテムに対する関心のレベルに対応するレベルに、1つまたは複数の利用可能なアイテムの各々のアイコンを表示するように、ユーザインターフェースを構成するステップ、重複する関心のレベルを有する利用可能なアイテムの最小化されたアイコンを積み重ねたものを表示するように、ユーザインターフェースを構成するステップ、および/または、表示の水平方向の縮尺を大きくすることなく、表示の垂直方向の縮尺を大きくすることを含む、積み重ねられ最小化されたアイコンを広げるように拡大することを行うように、ユーザインターフェースを構成するステップを含み得る。
【００５０】
この方法はさらに、第1の利用可能なアイテムの選択を受け取ると、第1の利用可能なアイテムについての詳細な情報を表示し、情報の詳細な表示を介して第1の利用可能なアイテムをダウンロードするための命令を受け取ると、第1の利用可能なアイテムをダウンロードするように、ユーザインターフェースを構成するステップを含み得る。
【００５１】
さらに、この計算は、公開日に従って利用可能なアイテムを分けることができるので、ユーザは、複数の日に公開された、最も人気の利用可能なアイテムを示す表示を見ることができる。図1および図2に示されるように、ユーザは、以前に公開された利用可能なアイテムについての評価を見るために、現在の日付から開始してスクロールすることができる。
【００５２】
さらに、ユーザインターフェースは、利用可能なアイテムに対する計算された関心のレベルに対応するレベルに、利用可能なアイテムの各々のアイコンを表示することができる。ユーザインターフェースは、重複する関心のレベルを有する利用可能なアイテムの最小化されたアイコンを積み重ねたものを表示する、積層機構を含み得る。ユーザインターフェースはさらに、積み重ねられ最小化されたアイコンをユーザが広げられるようにする拡大機構を含んでよく、拡大機構は、表示の水平方向の縮尺を大きくすることなく、表示の垂直方向の縮尺を大きくする。
【００５３】
さらに、態様は、1つまたは複数の利用可能なアイテム、または1つまたは複数の種類の利用可能なアイテムに対する関心のレベルを計算するステップと、この計算に基づいて表示を生成するステップと含み得る。次いで、特定のタイプの利用可能なアイテムへと表示を限定するために、選択のための選択肢およびフィルタが、ユーザに適用または提供され得る。
【００５４】
さらに、態様は、メディアの検索を実行することなく、1つまたは複数の利用可能なアイテムに対する、個人設定された関心のレベルを計算するステップを含み得る。したがって、関心のレベルはたとえば、ユーザの交流先のリストで特定される交流先から、1つまたは複数の利用可能なアイテムについて収集された情報に基づき得る。たとえば、関心のレベルは、追加のメディアの検索を実行することなく、ユーザの友人によって行われた特定のコンテンツの購入に基づいて、求められ得る。
【００５５】
図6は、1つまたは複数のアプリケーションに対する関心のレベルを取得するための、方法600の例示的な態様を示すフローチャートを示す。たとえば、ある態様では、方法600は、モバイルデバイスによって動作可能であり得る。この方法は、公開日に基づいて1つまたは複数のアプリケーションに対する関心のレベルを示すように構成された、ユーザインターフェースを受け取るステップを含む。1つまたは複数のアプリケーションの各々に対する関心のレベルは、1つまたは複数のアプリケーションの各々の品評についてのメディアの検索に基づいて計算される(602)。メディアは、ソーシャルメディアを含み得る。1つまたは複数のアプリケーションの各々の品評についてメディアを検索することは、1つまたは複数のアプリケーションの各々がメディアにおいて名前を挙げられた回数を求めることを含む。
【００５６】
この方法はさらに、受け取られたユーザインターフェースをディスプレイに提示するステップ604を含む。
【００５７】
この方法はさらに、個人情報へのアクセス権を提供するステップを、任意選択で含み得る。そのような態様では、ユーザインターフェースはさらに、受け取られた個人情報に基づいて、1つまたは複数の利用可能なアイテムに対する個人設定された関心のレベルを示すように構成される(606)。
【００５８】
ユーザ情報へのアクセス権を提供するステップは、ソーシャルネットワークへのログイン認証情報を提供するステップを含み得る。たとえば、UEは、ソーシャルメディアなどのユーザのアカウントに対する、ログイン認証情報を提供することができる。UEは、交流先リスト情報または位置情報へのアクセス権を提供することができる。たとえば、UEは、UEに記憶された交流先リストへのアクセス権を提供することができ、またはGPSを用いて、UEは自身の位置を定期的に測定して報告することができる。したがって、1つまたは複数の利用可能なアイテムに対する計算された関心のレベルは、そのようなユーザ情報に基づいて個人設定され得る。たとえば、この計算は、ユーザの友人および交流先に特有の、1つまたは複数の利用可能なアイテムの各々についての品評の量を求めるための、ユーザのソーシャルメディアアカウントのデータマイニングを含み得る。交流先リスト情報を使って、ユーザの交流先リストに含まれる人物によって行われたダウンロード/コメントの数に重みを与えることができる。
【００５９】
関心のレベルはさらに、複数のアプリケーションの各々のダウンロードの数または購入の数のうちの少なくとも1つの決定に基づいて、計算され得る。
【００６０】
ユーザインターフェースはさらに、コンテンツに対する関心のレベルを示すように構成されてよく、方法は、個人情報へのアクセス権を提供するステップを含んでよい。そのような態様では、ユーザインターフェースはさらに、受け取られた個人情報に基づいて、1つまたは複数の利用可能なアイテムに対する個人設定された関心のレベルを示すように構成される。
【００６１】
個人情報へのアクセス権を提供するステップは、ソーシャルネットワークへのログイン認証情報、交流先リスト情報、または位置情報のうちの少なくとも1つへのアクセス権を提供するステップを含み得る。
【００６２】
個人情報へのアクセス権を提供するステップが、モバイルデバイスのユーザのソーシャルネットワークへのログイン認証情報へのアクセス権を提供するステップを含む場合、関心のレベルを計算するステップはさらに、ユーザのソーシャルネットワークに基づいて、1つまたは複数の利用可能なアイテムに対する関心のレベルを求めるために、ユーザのソーシャルネットワークを検索するステップを含み得る。個人情報へのアクセス権を提供するステップが、複数の交流先を特定する交流先リスト情報へのアクセス権を提供するステップを含む場合、関心のレベルはさらに、複数の交流先のいずれかによる1つまたは複数の利用可能なアイテムのいずれかの購入の検索に基づいて計算されてよく、かつ/または、複数の交流先のいずれかによる1つまたは複数の利用可能なアイテムのいずれかに関するコメントの検索に基づいて計算されてよい。
【００６３】
関心のレベルは、1つまたは複数の利用可能なアイテムの各々の全体のダウンロード数Aを求めることと、ユーザの交流先によって行われたダウンロードの数Bを求めることと、A-B+x(B)を計算することによって関心のレベルを計算することとに基づいて計算されてよく、ここでxは、ユーザの交流先に基づいて関心のレベルに重みを与えるための乗数である。
【００６４】
態様はさらに、利用可能なアイテムに対する関心のレベルに対応するレベルに、1つまたは複数の利用可能なアイテムの各々のアイコンを表示するステップ、重複する関心のレベルを有する利用可能なアイテムの最小化されたアイコンを積み重ねたものを表示するステップ、および/または、表示の水平方向の縮尺を大きくすることなく、表示の垂直方向の縮尺を大きくするステップを含む、積み重ねられ最小化されたアイコンを広げるように拡大するステップを含み得る。
【００６５】
態様はさらに、第1の利用可能なアイテムの選択を受け取るステップと、第1の利用可能なアイテムについての詳細な情報を表示するステップと、情報の詳細な表示を介して、第1の利用可能なアイテムをダウンロードするための命令を受け取るステップと、第1の利用可能なアイテムをダウンロードするステップとを含み得る。
【００６６】
1つまたは複数の利用可能なアイテムに対する関心のレベルを表示するステップは、1つまたは複数の利用可能なアイテムの各々の公開日に従って、1つまたは複数の利用可能なアイテムに対する関心のレベルを表示するステップと、複数の公開日に従って表示をスクロールするステップとを含み得る。ユーザは、表示をスクロールして、1つまたは複数の利用可能なアイテムに対する様々な関心のレベルを呈示させることができる。
【００６７】
態様はさらに、第1の利用可能なアイテムの選択を受け取るステップを含み得る。そのような選択がされると、利用可能なアイテムの詳細な情報が、図4のように表示される。ユーザは、情報の詳細な表示を示すユーザインターフェースを介して、利用可能なアイテムをダウンロードするための命令を入力することができる。そしてUEは、利用可能なアイテムをダウンロードする。
【００６８】
図7を参照すると、一態様では、上で説明された利用可能なアイテムの関心および順位の情報を生成するためのネットワークデバイスは、コンピュータデバイス700によって代表され得る。コンピュータデバイス700は、本明細書で説明するコンポーネントおよび機能のうちの1つまたは複数に関連する処理機能を実行するための、プロセッサ701を含む。プロセッサ701は、1組もしくは複数組のプロセッサまたは1組もしくは複数組のマルチコアプロセッサを含んでもよい。その上、プロセッサ701は、統合処理システムおよび/または分散処理システムとして実装されてもよい。
【００６９】
コンピュータデバイス700は、プロセッサ701によって実行されているアプリケーションのローカルバージョンを記憶することなどを目的とした、メモリ702をさらに含む。メモリ702は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できる任意のタイプのメモリを含んでもよい。
【００７０】
さらに、コンピュータデバイス700は、本明細書で説明するように、ハードウェア、ソフトウェア、およびサービスを利用して、1つまたは複数の相手との通信を確立し維持することを可能にする、通信コンポーネント703を含む。通信コンポーネント703は、コンピュータデバイス700上のコンポーネント間の通信、ならびに、コンピュータデバイス700と、通信ネットワーク上に位置するデバイス、および/またはコンピュータデバイス700に直列またはローカルに接続されたデバイスなどの外部デバイスとの間の通信を、伝え得る。たとえば、通信コンポーネント703は、1つまたは複数のバスを含んでもよく、外部デバイスとのインターフェースをとるように動作可能な送信機および受信機とそれぞれ関連付けられる、送信チェーンコンポーネントおよび受信チェーンコンポーネントをさらに含んでもよい。
【００７１】
さらに、コンピュータデバイス700は、データ記憶装置704をさらに含んでよく、データ記憶装置704は、本明細書で説明する態様に関連して利用される情報、データベース、およびプログラムの大容量記憶を実現する、ハードウェアおよび/またはソフトウェアの任意の適切な組合せであり得る。たとえば、データ記憶装置704は、プロセッサ701によって現在実行されていないアプリケーションのためのデータリポジトリであり得る。
【００７２】
コンピュータデバイス700は、さらに、コンピュータデバイス700のユーザから入力を受け取るように動作可能でありユーザへの提示のための出力を生成するようにさらに動作可能な、ユーザインターフェースコンポーネント705を含み得る。ユーザインターフェースコンポーネント705は、限定はしないが、キーボード、ナンバーパッド、マウス、タッチ感知式ディスプレイ、ナビゲーションキー、ファンクションキー、マイクロフォン、音声認識コンポーネント、ユーザからの入力を受け取ることが可能な任意の他の機構、またはそれらの任意の組合せを含む、1つまたは複数の入力デバイスを含み得る。さらに、ユーザインターフェースコンポーネント705は、限定はしないが、ディスプレイ、スピーカ、触覚フィードバック機構、プリンタ、ユーザに出力を提示することが可能な任意の他の機構、またはそれらの任意の組合せを含む、1つまたは複数の出力デバイスを含み得る。
【００７３】
コンピュータデバイス700はさらに、プロセッサ701によって実行される、利用可能アイテム関心レベル生成コンポーネント706を含んでよく、コンポーネント706は、1つまたは複数の利用可能なアイテム、たとえば1つまたは複数のアプリケーションの公開日を判定し、その1つまたは複数のアプリケーションに対する関心のレベルを計算するように構成される。一例では、関心のレベルを計算するステップは、1つまたは複数のアプリケーションの各々の品評についてメディアを検索するステップを含む。コンポーネント706はさらに、1つまたは複数のアプリケーションに対する関心のレベルを示すように構成された、ユーザインターフェースを生成するように動作可能である。そして、コンピュータデバイスは、通信コンポーネント703を介して、そのような生成された情報を提供することができる。モバイルデバイス上の個人情報へのアクセス権が、1つまたは複数の利用可能なアイテムに対する関心のレベルの個人設定された計算を可能にするために、通信コンポーネント703を介して実現され得る。
【００７４】
図8を参照すると、一態様では、UE 102(図1)は、コンピュータデバイス800によって代表され得る。コンピュータデバイス800は、本明細書で説明するコンポーネントおよび機能のうちの1つまたは複数に関連する処理機能を実行するための、プロセッサ801を含む。プロセッサ801は、1組もしくは複数組のプロセッサまたは1組もしくは複数組のマルチコアプロセッサを含んでもよい。その上、プロセッサ801は、統合処理システムおよび/または分散処理システムとして実装されてもよい。
【００７５】
コンピュータデバイス800は、プロセッサ801によって実行されているアプリケーションのローカルバージョンを記憶することなどを目的とした、メモリ802をさらに含む。メモリ802は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できる任意のタイプのメモリを含んでもよい。
【００７６】
さらに、コンピュータデバイス800は、本明細書で説明するように、ハードウェア、ソフトウェア、およびサービスを利用して、1つまたは複数の相手との通信を確立し維持することを可能にする、通信コンポーネント803を含む。通信コンポーネント803は、コンピュータデバイス800上のコンポーネント間の通信、ならびに、コンピュータデバイス800と、通信ネットワーク上に位置するデバイス、および/またはコンピュータデバイス800に直列またはローカルに接続されたデバイスなどの外部デバイスとの間の通信を、伝え得る。たとえば、通信コンポーネント803は、1つまたは複数のバスを含んでもよく、外部デバイスとのインターフェースをとるように動作可能な送信機および受信機とそれぞれ関連付けられる、送信チェーンコンポーネントおよび受信チェーンコンポーネントをさらに含んでもよい。
【００７７】
さらに、コンピュータデバイス800は、データ記憶装置804をさらに含んでよく、データ記憶装置804は、本明細書で説明する態様に関連して利用される情報、データベース、およびプログラムの大容量記憶を実現する、ハードウェアおよび/またはソフトウェアの任意の適切な組合せであり得る。たとえば、データ記憶装置804は、プロセッサ801によって現在実行されていないアプリケーションのためのデータリポジトリであり得る。
【００７８】
コンピュータデバイス800は、さらに、コンピュータデバイス800のユーザから入力を受け取るように動作可能でありユーザへの提示のための出力を生成するようにさらに動作可能な、ユーザインターフェースコンポーネント805を含み得る。ユーザインターフェースコンポーネント805は、限定はしないが、キーボード、ナンバーパッド、マウス、タッチ感知式ディスプレイ、ナビゲーションキー、ファンクションキー、マイクロフォン、音声認識コンポーネント、ユーザからの入力を受け取ることが可能な任意の他の機構、またはそれらの任意の組合せを含む1つまたは複数の入力デバイスを含み得る。さらに、ユーザインターフェースコンポーネント805は、限定はしないが、ディスプレイ、スピーカ、触覚フィードバック機構、プリンタ、ユーザに出力を提示することが可能な任意の他の機構、またはそれらの任意の組合せを含む1つまたは複数の出力デバイスを含み得る。
【００７９】
コンピュータデバイス800はさらに、ユーザ情報へのアクセス権をコンピュータデバイスを介してワイヤレス装置に提供するように構成された、ユーザ情報コンポーネント806を含み得るので、コンピュータデバイスは、メディア内での1つまたは複数の利用可能なアイテムの各々の品評に少なくとも一部基づいて、1つまたは複数の利用可能なアイテム、たとえばアプリケーションに対する個人設定された関心のレベルを表示するように構成された、ユーザインターフェースへのアクセス権を受け取ることができる。ユーザ情報コンポーネントは、プロセッサ801を介して実行され得る。
【００８０】
コンピュータデバイス800が、1つまたは複数の利用可能なアイテムに対する関心のレベルの個人設定された計算結果を有するユーザインターフェースを受け取れるようにするために、個人情報へのアクセス権が、通信コンポーネント803を介してネットワークに提供され得る。
【００８１】
図9を参照すると、一態様による、アプリケーションの関心および順位の情報を生成するシステム900が示される。たとえば、システム900は、ネットワークデバイスなどのような、コンピュータデバイス内に少なくとも部分的に存在してよい。システム900は、プロセッサ、ソフトウェア、またはそれらの組合せ(たとえば、ファームウェア)によって実施される機能を表す機能ブロックであり得る、機能ブロックを含むものとして表されていることを諒解されたい。システム900は、連携して動作することができる電気的コンポーネントの論理的グルーピング902を含む。たとえば、論理的グルーピング902は、1つまたは複数のアプリケーションの公開日を判定するためのモジュール904を含み得る。たとえば、論理的グルーピング902は、図7のコンピュータデバイス700内のコンポーネントに対応し得る。
【００８２】
さらに、論理的グルーピング902は、1つまたは複数のアプリケーションに対する関心のレベルを計算するためのモジュールを含み得る。関心のレベルを計算するステップは、1つまたは複数のアプリケーションの各々の品評についてメディアを検索するステップ906を含む。
【００８３】
さらに、論理的グルーピング902は、判定された公開日に基づいて1つまたは複数のアプリケーションに対する関心のレベルを示すように構成された、ユーザインターフェースを生成するためのモジュール908を含み得る。
【００８４】
論理的グルーピング902はさらに、モバイルデバイスにユーザインターフェースを提供するためのモジュール910を含み得る。
【００８５】
システム900はさらに、電気的コンポーネント904、906、908、および910に関連する機能を実行するための命令を保持する、メモリ912を含み得る。電気的コンポーネント904、906、908、および910は、メモリ912の外部にあるものとして示されているが、これらの電気的コンポーネント904、906、908、および910のうちの1つまたは複数は、メモリ912内に存在し得ることを理解されたい。ある態様では、たとえば、メモリ912は、図7のメモリ702またはデータ記憶装置704と、同一または同様であってよい。
【００８６】
図10を参照すると、1つまたは複数の利用可能なアイテムに対する、個人設定され得る関心のレベルを取得し表示する、システム1000が示される。たとえば、システム1000は、モバイルデバイスなどのような、コンピュータデバイス内に少なくとも部分的に存在してよい。システム1000は、プロセッサ、ソフトウェア、またはそれらの組合せ(たとえば、ファームウェア)によって実施される機能を表す機能ブロックであり得る、機能ブロックを含むものとして表されていることを諒解されたい。システム1000は、連携して動作することができる電気的コンポーネントの論理的グルーピング1002を含む。たとえば、論理的グルーピング1002は、図8のコンピュータデバイス800内のコンポーネントに対応し得る。
【００８７】
たとえば、論理的グルーピング1002は、ユーザ情報へのアクセス権を提供するためのモジュール1004を含み得る。
【００８８】
さらに、論理的グルーピング1002は、メディア内での1つまたは複数のコンテンツアイテムの各々の品評に少なくとも一部基づいて、1つまたは複数の利用可能なアイテムに対する個人設定された関心のレベルを表示するように構成された、ユーザインターフェースへのアクセス権を受け取るためのモジュール1006を含み得る。
【００８９】
さらに、論理的グルーピング1002は、1つまたは複数の利用可能なアイテムに対する関心のレベルを表示するためのモジュール1008を含み得る。
【００９０】
システム1000はさらに、電気的コンポーネント1004、1006、および1008に関連する機能を実行するための命令を保持する、メモリ1012を含み得る。電気的コンポーネント1004、1006、および1008は、メモリ1012の外部にあるものとして示されているが、これらの電気的コンポーネント1004、1006、および1008のうちの1つまたは複数は、メモリ1012内に存在し得ることを理解されたい。ある態様では、たとえば、メモリ1012は、図8のメモリ802またはデータ記憶装置804と、同一または同様であってよい。
【００９１】
本明細書で開示する実施形態に関して説明する様々な例示的な論理、論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲート論理回路もしくは個別トランジスタ論理回路、個別ハードウェア構成要素、または、本明細書で説明する機能を実行するように設計されたそれらの任意の組合せによって、実装または実行されてもよい。汎用プロセッサはマイクロプロセッサであってよいが、代替として、汎用プロセッサは、任意の従来のプロセッサ、コントローラ、マイクロコントローラ、または状態機械であってもよい。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、または、任意の他のそのような構成として実装され得る。さらに、少なくとも1つのプロセッサは、上述のステップおよび/または動作の1つまたは複数を実行するように動作可能な、1つまたは複数のモジュールを含み得る。
【００９２】
さらに、本明細書で開示した態様に関して説明した方法またはアルゴリズムのステップおよび/または動作は、直接ハードウェアで実施するか、プロセッサによって実行されるソフトウェアモジュールで実施するか、またはその2つの組合せで実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に存在し得る。例示的な記憶媒体は、プロセッサが記憶媒体から情報を読み取り、記憶媒体に情報を書き込むことができるようにプロセッサに結合され得る。代替として、記憶媒体はプロセッサと一体であり得る。さらに、いくつかの態様では、プロセッサおよび記憶媒体はASIC中に存在し得る。さらに、ASICはユーザ端末中に存在し得る。代替として、プロセッサおよび記憶媒体は、ユーザ端末中に個別コンポーネントとして存在し得る。さらに、いくつかの態様では、方法またはアルゴリズムのステップおよび/または動作は、コンピュータプログラム製品に組み込まれ得る、機械可読媒体および/またはコンピュータ可読媒体上の、コードおよび/または命令の1つまたは任意の組合せ、もしくはそのセットとして存在し得る。
【００９３】
1つまたは複数の態様では、説明する機能は、ハードウェア、ソフトウェア、ファームウェア、またはそれらの任意の組合せで実装され得る。各機能は、ソフトウェアで実装される場合、1つまたは複数の命令またはコードとしてコンピュータ可読媒体上に記憶されるか、または、コンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送または記憶するために使用でき、コンピュータによってアクセスできる、任意の他の媒体を含み得る。また、いかなる接続もコンピュータ可読媒体と呼ばれ得る。たとえば、ソフトウェアが、同軸ケーブル、光ファイバケーブル、ツイストペア、デジタル加入者回線(DSL)、または、赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または、赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フレキシブルディスク(disk)、およびブルーレイディスク(disc)を含み、ディスク(disk)は、通常、データを磁気的に再生し、ディスク(disc)は、通常、データをレーザで光学的に再生する。上記の組合せも、コンピュータ可読媒体の範囲内に含めるべきである。
【００９４】
上記の開示は、例示的な態様および/または実施形態について論じたが、添付の特許請求の範囲によって定義される、説明した態様および/または実施形態の範囲から逸脱することなく、様々な変更および改変を本明細書で行うことができることに留意されたい。さらに、説明した態様および/または実施形態の要素は、単数形で説明または請求されていることがあるが、単数形に限定することが明示的に述べられていない限り、複数形が企図される。さらに、任意の態様および/または実施形態の全部または一部は、別段に記載されていない限り、任意の他の態様および/または実施形態の全部または一部とともに利用され得る。
【符号の説明】
【００９５】
102  ユーザインターフェース
104  関心のレベル
106  時間軸
110  アイコン
112  補助的なアイテム情報、補助的な情報
116  平均のユーザ評価
118  利用可能なアイテムの詳細な説明
122  ユーザの友人または交流先、ユーザの友人および交流先
700  コンピュータデバイス
800  コンピュータデバイス
900  システム
902  論理的グルーピング
904、906、908、910  電気的コンポーネント
912  メモリ
1000  システム
1002  論理的グルーピング
1004、1006、1008  電気的コンポーネント
1012  メモリ
【図１】
2013543614.tif 000003
【図２】
2013543614.tif 000004
【図３Ａ】
2013543614.tif 000005
【図３Ｂ】
2013543614.tif 000006
【図３Ｃ】
2013543614.tif 000007
【図４】
2013543614.tif 000008
【図５】
2013543614.tif 000009
【図６】
2013543614.tif 000010
【図７】
2013543614.tif 000011
【図８】
2013543614.tif 000012
【図９】
2013543614.tif 000013
【図１０】
2013543614.tif 000014
【国際調査報告】
2013543614.tif 000015